(57)【要約】【課題】内部にガムの包み紙を携帯することができるガムの包装容器を提供する。【解決手段】少なくとも下面板２、左右の側面板、上面板４、背面板および正面板を備え、正面板を開放して内部に収容されたガムを取り出すようにした包装容器１において、上面板４に折り目を介して第１糊代５、内方下面板６および第２糊代が順に連設され、各糊代が左右の側面板にそれぞれ貼着されて下面板との間に一定の空間をおいて内方下面板６が配設される。このため、内方下面板６と下面板２との空間にガムの包み紙を収容することができる。【選択図】図２
2006021821.tif 000002
【特許請求の範囲】
【請求項１】
少なくとも下面板、左右の側面板、上面板、背面板および正面板を備え、正面板を開放して内部に収容されたガムを取り出すようにした包装容器において、上面板に折り目を介して第１糊代、内方下面板および第２糊代が順に連設され、各糊代が左右の側面板にそれぞれ貼着されて下面板との間に一定の空間をおいて内方下面板が配設され、内方下面板と下面板との空間にガムの包み紙が収容されることを特徴とするガムの包装容器。
【請求項２】
前記内方下面板の上下方向略中間部に、内方下面板と第１糊代との折り目および内方下面板と第２糊代との折り目間にわたって左右方向に切れ目が形成されるとともに、内方下面板の下半部の左右方向略中間部に切れ目を始点として上下方向に折り目が形成され、また、第２糊代と内方下面板との折り目の上半部が切れ目の端縁近傍を始点として形成される一方、その折り目の下半部が上半部の折り目と平行に、かつ、切れ目の端縁を始点として形成されることを特徴とする請求項１記載のガムの包装容器。
【請求項３】
前記内方下面板の略下半部が第２糊代の端縁を越えて延設される一方、内方下面板の左右方向に、延設された内方下面板の略下半部の端縁に沿って設定長さの切れ目が形成されるとともに、内方下面板の略下半部に切れ目の端縁を始点として上下方向に折り目が形成されることを特徴とする請求項１記載のガムの包装容器。
【請求項４】
前記内方下面板の下端縁に折り目を介して支持片が連設されることを特徴とする請求項１記載のガムの包装容器。
【請求項５】
前記内方下面板の上下方向略中間部に、その左右方向略中間部から第１糊代と内方下面板との折り目にかけて左右方向に切れ目が形成される一方、内方下面板の下半部の左右方向略中間部に切れ目の端縁を始点として上下方向に折り目が形成されるとともに、該折り目から内方下面板と下面板との間隔に略相当する距離をおいて、切れ目を始点として上下方向に折り目が前記折り目と平行に形成され、また、内方下面板と第１糊代との折り目の略下半部に前記切れ目の端縁を始点として切れ目が形成されることを特徴とする請求項１記載のガムの包装容器。
【発明の詳細な説明】
【技術分野】
【０００１】
本発明は、ガムの包装容器に関するものである。
【背景技術】
【０００２】
従来より、図１９に示すように、下面板、左右の側面板、上面板、背面板および正面板を備え、内部にタブレット状のガムを収容してなる包装容器が提案されている。
【０００３】
このような包装容器においては、必要に応じて正面板を開放し、内部に収容されたガムを取り出すようにしている。
【発明の開示】
【発明が解決しようとする課題】
【０００４】
ところで、前述した包装容器に収容されたガムにおいては、個別に包装されていない場合がある。このため、ガムを食した後、廃棄する場合、ガムの包装紙が存在しないため、手持ちのティッシュペーパーを取り出して包み込む必要があり、取り扱い性に難があった。また、ガムが路上に廃棄されると、周囲の美観を損ねるばかりでなく、路面に付着したガムを除去するため、多くの時間と費用を必要とするものとなる。
【０００５】
本発明は、このような問題点に鑑みてなされたもので、包装容器の内部にガムの包み紙を携帯することのできるガムの包装容器を提供するものである。
【課題を解決するための手段】
【０００６】
本発明は、少なくとも下面板、左右の側面板、上面板、背面板および正面板を備え、正面板を開放して内部に収容されたガムを取り出すようにした包装容器において、上面板に折り目を介して第１糊代、内方下面板および第２糊代が順に連設され、各糊代が左右の側面板にそれぞれ貼着されて下面板との間に一定の空間をおいて内方下面板が配設され、内方下面板と下面板との空間にガムの包み紙が収容されることを特徴とするものである。
【０００７】
本発明によれば、コートボールを展開図にしたがって打ち抜いた後、折り目に沿って折り込むこととともに、所定部分を貼着して包装容器が組み立てられる。
【０００８】
この際、第１糊代および第２糊代がそれぞれ右側面板および左側面板に貼着されると、第１糊代および第２糊代の高さが左右の側面板の高さよりも小さく設定されているため、内方下面板が下面板との間に左右の側面板の高さと第１糊代、第２糊代の高さとの差に相当する間隔をおいて配設される。
【０００９】
この結果、内方下面板と下面板との空間にガムの包み紙を収容して、包装容器に携帯することができることから、廃棄するガムを包み紙を利用して包み込むことができる。したがって、ガムを包み込むためティッシュペーパーなどを取り出す煩わしさを解消することができ、また、ガムが路上に直接廃棄されることを防止することができる。
【００１０】
本発明において、前記内方下面板の上下方向略中間部に、内方下面板と第１糊代との折り目および内方下面板と第２糊代との折り目間にわたって左右方向に切れ目が形成されるとともに、内方下面板の下半部の左右方向略中間部に切れ目を始点として上下方向に折り目が形成され、また、第２糊代と内方下面板との折り目の上半部が切れ目の端縁近傍を始点として形成される一方、その折り目の下半部が上半部の折り目と平行に、かつ、切れ目の端縁を始点として形成されると、内方下面板の下半部の幅は、第２糊代と内方下面板との折り目の上半部とその下半部との差に相当する間隔だけ下面板の幅よりも大きくなることから、内方下面板の下半部は、その上下方向に延びる折り目に沿って折曲し、下面板方向に突出する。したがって、内方下面板の下半部が、内方下面板と下面板との空間において、Ｖ字状に位置することになり、内方下面板の下半部の切れ目に沿う端縁が、内方下面板と下面板との空間に収容されたガムの包み紙のストッパとして機能し、それ以上背面板方向に滑落することが防止される。このため、包み紙の先端は、常に正面板近傍の取り出しやすい位置に保持される。
【００１１】
本発明において、前記内方下面板の略下半部が第２糊代の端縁を越えて延設される一方、内方下面板の左右方向に、延設された内方下面板の略下半部の端縁に沿って設定長さの切れ目が形成されるとともに、内方下面板の略下半部に切れ目の端縁を始点として上下方向に折り目が形成されると、延設された内方下面板の略下半部を折り目に沿って折り込むことにより、その先端は下面板に接することになる。したがって、延設された内方下面板の略下半部は、内方下面板と下面板との空間において、ほぼ対角線に沿って位置することになり、延設された内方下面板の略下半部の切れ目に沿う端縁が、内方下面板と下面板との空間に収容されたガムの包み紙のストッパとして機能し、それ以上背面板方向に滑落することが防止される。このため、包み紙の先端は、常に正面板近傍の取り出しやすい位置に保持される。
【００１２】
本発明において、前記内方下面板の下端縁に折り目を介して支持片が連設されると、支持片を折り目に沿って折り込むことにより、支持片は、内方下面板と下面板との空間に入り込んで、その先端が下面板に接することになる。したがって、折り込まれた支持片が、内方下面板と下面板との空間に収容されたガムの包み紙のストッパとして機能し、それ以上背面板方向に滑落することが防止される。このため、包み紙の先端は、常に正面板近傍の取り出しやすい位置に保持される。
【００１３】
本発明において、前記内方下面板の上下方向略中間部に、その左右方向略中間部から第１糊代と内方下面板との折り目にかけて左右方向に切れ目が形成される一方、内方下面板の下半部の左右方向略中間部に切れ目の端縁を始点として上下方向に折り目が形成されるとともに、該折り目から内方下面板と下面板との間隔に略相当する距離をおいて、切れ目を始点として上下方向に折り目が前記折り目と平行に形成され、また、内方下面板と第１糊代との折り目の略下半部に前記切れ目の端縁を始点として切れ目が形成されると、内方下面板の左右方向に形成された切れ目、上下方向に形成された切れ目、内方側の折り目によって区画された部分を接着剤を介して下面板に貼着することにより、内方下面板の２本の折り目によって区画された部分が、内方下面板と下面板との空間において、下面板と内方下面板との左右方向略中間位置でほぼ垂直に立ち上がることになる。したがって、ほぼ垂直に立ち上がった部分の端縁が、内方下面板と下面板との空間に収容されたガムの包み紙のストッパとして機能し、それ以上背面板方向に滑落することが防止される。このため、包み紙の先端は、常に正面板近傍の取り出しやすい位置に保持される。
【発明の効果】
【００１４】
本発明によれば、包装容器の内部にガムの包み紙を携帯することができる。
【発明を実施するための最良の形態】
【００１５】
以下、本発明の実施の形態を図面に基づいて説明する。
【００１６】
図１乃至図３には、本発明の包装容器１の一実施形態が示されている。
【００１７】
この包装容器１は、タブレット状のガムを収容するものであり、コートボールを図２に示す展開図にしたがって打ち抜いた後、折り目に沿って折り込むこととともに、所定部分を貼着して組み立てられる。そして、包装容器１にガムを収容して適宜包装した後、出荷される。
【００１８】
この包装容器１は、図３の展開図において、下面板２の左端縁に、左側面板３、上面板４、第１糊代５、内方下面板６および第２糊代７が折り目ａ，ｂ，ｃ，ｄ，ｅを介して順に連設されるとともに、下面板２の右端縁に右側面板８が折り目ｆを介して連設される一方、下面板２の上端縁に正面板９および係止板１０が折り目ｇ，ｈを介して順に連設されるとともに、下面板２の下端縁に糊代１１が折り目ｉを介して連設され、また、左側面板３および右側面板８の各下端縁にそれぞれフラップ１２が折り目ｊを介して連設され、さらに、上面板４の上端縁に被係止片１３が折り目ｋを介して連設されるとともに、上面板４の下端縁に背面板１４が折り目ｍを介して連設され、さらにまた、正面板９の左右各端縁にそれぞれ係止片１５が折り目ｎを介して連設されて構成されている。
【００１９】
そして、内方下面板６には、上下方向約中間部において、折り目ｄから折り目ｅにかけて左右方向に延びる切れ目ｐが形成されるとともに、左右方向約中間部において、切れ目ｐから下端縁にかけて上下方向に延びる折り目ｑが形成されている。また、内方下面板６の上端縁には、略三角形状の切欠部６１が形成されている。
【００２０】
なお、折り目ｑの上端縁近傍と切れ目ｐとの間には、折り目ｄ方向に向けて屈曲する約Ｌ字状の切れ目ｒが形成されている。
【００２１】
また、係止片１５には、正面板９および係止板１０の折り目ｈに連続して折り目ｓが形成されている。
【００２２】
ここで、第１糊代５の幅（折り目ｃ，ｄ間の距離）は、第２糊代７の幅（折り目ｅおよび第２糊代７の側端縁間の距離）と等しく、左右の側面板３，８の幅（折り目ａ，ｂ間の距離）よりも若干小さく設定されている。
【００２３】
また、内方下面板６および第２糊代７の折り目ｅは、切れ目ｐとの交点において段差が形成されている。具体的には、折り目ｅの、上端縁から切れ目ｐまでの上半部ｅ１と、切れ目ｐから下端縁までの下半部ｅ２とは、わずかな距離をおいて平行に形成され、切れ目ｐは、折り目ｅの上半部ｅ１との交点を越えて、その下半部ｅ２との交点まで延設されている。したがって、折り目ｄから折り目ｅの上半部ｅ１までの距離が、折り目ｄから折り目ｅの下半部ｅ２までの距離よりもわずかに小さく設定されている。
【００２４】
さらに、各係止片１５は、折り目ｈおよび折り目ｎとの交点から斜め外方に延びる斜線と、上端縁から下方に向けて延びる縦線によって切り欠かれており、係止板１０の左右各側端縁から各係止片１５の上端縁から延びる内端縁までの距離は、被係止片１３の高さ、すなわち、被係止片１３の上端縁から折り目ｋまでの距離にほぼ一致されている。また、各係止片１５の折り目ｓの距離は、正面板９の高さ、すなわち、折り目ｇおよび折り目ｈ間の距離に等しく、これらの距離は、左右の側面板３，８の幅である折り目ａ，ｂ間の距離よりも、若干大きく設定されている。
【００２５】
次に、このように構成された包装容器１の組み立て手順について説明する。
【００２６】
まず、図３の展開図にしたがってコートボールを打ち抜くとともに、裏面が上面を向くように反転させた後  第２糊代７を内方下面板６に対して折り目ｅに沿って谷折りし、その表面に接着剤を塗布した後（図４参照）、第１糊代５を内方下面板６および第２糊代７とともに上面板４に対して折り目ｃに沿って谷折りし、第２糊代７を左側面板３の裏面に貼着する（図５参照）。
【００２７】
この際、折り目ｅの下半部ｅ２は、その下半部ｅ１よりも内方に位置して折り返されるが、折り目ｄから折り目ｅの下半部ｅ２までの距離は、折り目ｄから折り目ｅの上半部ｅ１までの距離よりも、折り目ｅの上半部ｅ１と下半部ｅ２との間隔分だけ大きくなる。このため、内方下面板６の下半部は、折り目ｑに沿って上方に向けて折曲される。
【００２８】
次いで、第１糊代５の表面に接着剤を塗布した後、下面板２を右側面板８とともに左側面板３に対して折り目ａに沿って谷折りすれば、右側面板８の裏面が第１糊代５の表面に貼着される。
【００２９】
この後、左側面板３を上面板４に対して折り目ｂに沿って谷折りするように起立させることにより、長手方向の両端が開口された包装容器１が形成される（図６参照）。
【００３０】
次いで、この包装容器１を、上面板が４が上方に位置するように上下反転した後、ガムの包み紙１００（図２および図９参照）を正面板９側開口を通して、下面板２と内方下面板６との間に形成された空間に差し込んで収容する。この際、内方下面板６の、切れ目ｐよりも下方の下半部は、折り目ｑが下面板２方向に折り曲げられて下面板２と内方下面板６との空間に略Ｖ字状に突出しているため、下面板２と内方下面板６との空間に収容された包み紙１００は、内方下面板６の下半部における切れ目ｐに沿う端縁に当接し、それ以上の進入が阻止される（図２参照）。
【００３１】
包み紙１００が挿入されたならば、被係止片１３を上面板４に対して折り目ｋに沿って谷折りする一方、各係止片１５を折り目ｓに沿ってそれぞれ谷折りするとともに、折り目ｎに沿ってそれぞれ谷折りし、さらに、正面板９を下面板２に対して折り目ｇに沿って谷折りする。この場合、図７に示すように、各係止片１５の切り欠かれた鉛直な内端縁が被係止片１３の先端縁に略当接する状態で、各係止片１５の、折り目ｓよりも上方の上半部が上面板４の表面に載置される。この後、上面板４の表面に載置された係止片１５の、折り目ｓよりも上方の上半部の表面に接着剤を塗布し、係止板１０を正面板９に対して折り目ｈに沿って谷折りし、各係止片１５の上半部に係止板１０の裏面を貼着する。
【００３２】
その後、正面板９が下方に位置するように反転させ、背面板１４側開口を通して設定個数のガムを供給した後、各フラップ１２を左右の側面板３，８に対して折り目ｊに沿って谷折りするとともに、糊代１１を下面板２に対して折り目ｉに沿って谷折りする。さらに、糊代１１の表面に接着剤を塗布して、背面板１４を上面板４に対して折り目ｍに沿って谷折りすれば、内部にガムが収容された包装容器１が形成される。この後、詳細には図示しないが、包装容器１はフィルムで包装されて、出荷される。
【００３３】
一方、店頭にてガムを購入した消費者はフィルムを剥離した後、係止板１０を引き下げることにより、係止板１０と一体の正面板９を回動させて、正面板９側開口部を開放させることができることから、正面板９側開口部を通してガムを取り出すことができる。
【００３４】
すなわち、包装容器１の正面板９側開口部が正面板９によって閉鎖されている状態においては、係止板１０の内面に貼着された係止片１５の内端縁が被係止片１３の先端に係止されており、係止板１０の、意図しない開き出しが規制されている。一方、係止板１０を引き下げることにより、その内面に貼着された係止片１５の内端縁が被係止片１３の先端に係止して、被係止片１３を立ち上げつつ弾性変形させて乗り越えることができ、係止板１０に連設された正面板９を回動させて、正面板９側開口部を開放させることができる。
【００３５】
一方、ガムを取り出して正面板９側開口部を閉鎖する場合は、正面板９を押し上げることにより、正面板９と一体の係止板１０が、該係止板１０の内面に貼着された係止片１５とともに被係止片１３を押し倒して、被係止片１３を乗り越える。このため、被係止片１３の先端に、係止板１０の内面に貼着された係止片１５の内端縁が係止し、係止板１０の開き出しを規制することができる。
【００３６】
なお、ガムを食して廃棄する場合は、前述したように、係止板１０を引き下げて、正面板９側開口部を開放すれば、内方下面板６および下面板２との空間に収容された包み紙１００は、その後端が内方下面板６の下半部の切れ目ｐに沿う端縁に規制されて、それ以上の滑落が規制されているため、その先端部が下面板２と正面板９との折り目ｇ近傍に位置しており、包装容器１の内方に正面板９側開口部を通して指先を差し入れ、内方下面板６の切欠部６１を利用して包み紙１００を引き出すことができる。
【００３７】
この結果、廃棄するガムを包み紙１００を利用して包むことができ、ガムを包み紙１００によって包み込んだ状態でごみ箱に廃棄することができる。
【００３８】
ところで、図１０乃至図１２には、図１に示した包装容器１の変形例が示されている。
【００３９】
この包装容器１は、ガムの包み紙１００を下面板２と内方下面板６との間に形成された空間に差し込んで収容した際に、包み紙１００の一定以上の進入を阻止する構造が先に説明した包装容器１と相違するのみである。このため、同一の構造には同一の符号を付すことでその詳細な説明を省略し、相違する部分についてのみ説明する。
【００４０】
この包装容器１は、図１１の展開図において、内方下面板６の略下半部が第２糊代７の側端縁を越えて延設されている。そして、内方下面板６には、延設された内方下面板６の略下半部６２の端縁に沿って左右方向に設定長さの切れ目ｔが形成されるとともに、該切れ目ｔの終端を始点として内方下面板６の略下半部に上下方向に折り目ｕが形成されている。
【００４１】
ここで、延設された内方下面板６の略下半部６２の長さおよび切れ目ｔの長さは、延設された内方下面板６の略下半部６２を折り目ｕに沿って折り込んだ際、延設された内方下面板６の略下半部６２の先端が、内方下面板６と第１糊代５との折り目ｄの近傍に位置するように設定されている。このため、延設された内方下面板６の略下半部６２は、下面板２と内方下面板６との空間において、ほぼ対角線に沿って位置することになる（図１０参照）。
【００４２】
したがって、ガムの包み紙１００を正面板９側開口を通して下面板２と内方下面板６との空間に差し込んで収容するとき、包み紙１００は、延設された内方下面板６の略下半部６２の切れ目ｔに沿う端縁に当接し、それ以上の進入が阻止される結果、包み紙１００の先端は、常に正面板９近傍の取り出しやすい位置に保持される。
【００４３】
なお、この包装容器１を組み立てる場合は、図１１の展開図にしたがってコートボールを打ち抜くとともに、裏面が上面を向くように反転させた後  内方下面板６を第２糊代７とともに第１糊代５に対して折り目ｄに沿って谷折りする一方、延設された内方下面板６の略下半部６２を折り目ｕに沿って谷折りし、第２糊代７の表面に接着剤を塗布する（図１２参照）。その後、詳細には図示しないが、左側面板３を下面板２および右側面板８ともに上面板４に対して折り目ｂに沿って谷折りし、第２糊代７を左側面板３の裏面に貼着する。次いで、全体を反転し、第１糊代５の表面に接着剤を塗布した後、右側面板８を下面板２に対して折り目ｆに沿って谷折りし、第１糊代５を右側面板８の裏面に貼着し、左側面板３を上面板４に対して折り目ｂに沿って谷折りするように起立させることにより、長手方向の両端が開口された包装容器１を形成する。次いで、前述したように、ガムの包み紙１００を下面板２と内方下面板６との間に形成された空間に収容した後、係止片１５の上半部を係止板１０の裏面を貼着して正面板９側開口を閉鎖する一方、背面板１４側開口を通して設定個数のガムを供給した後、糊代１１に背面板１４を貼着して背面板１４側開口を閉鎖すればよい。
【００４４】
また、図１３乃至図１５には、図１に示した包装容器１の他の変形例が示されている。
【００４５】
この包装容器１も、ガムの包み紙１００を下面板２と内方下面板６との間に形成された空間に差し込んで収容した際に、包み紙１００の一定以上の進入を阻止する構造が先に説明した包装容器１と相違するのみである。このため、同一の構造には同一の符号を付すことでその詳細な説明を省略し、相違する部分についてのみ説明する。
【００４６】
この包装容器１は、図１４の展開図において、内方下面板６の下端縁に支持片１６が折り目ｖを介して連設されている。
【００４７】
ここで、支持片１６の長さ（折り目ｖとその下端縁との間隔）は、下面板２と内方下面板６との間隔よりも十分に大きく設定されている。このため、支持片１６を折り返した際、支持片１６は、下面板２と内方下面板６との空間に入り込み、その先端が下面板２に接することになる（図１３参照）。
【００４８】
したがって、ガムの包み紙１００を正面板９側開口を通して下面板２と内方下面板６との空間に差し込んで収容するとき、包み紙１００は、その空間に入り込んでいる支持片１６に当接し、それ以上の進入が阻止される結果、包み紙１００の先端は、常に正面板９近傍の取り出しやすい位置に保持される。
【００４９】
なお、この包装容器１を組み立てる場合は、図１４の展開図にしたがってコートボールを打ち抜くとともに、裏面が上面を向くように反転させた後  内方下面板６を第２糊代７とともに第１糊代５に対して折り目ｄに沿って谷折りする一方、支持片１６を折り目ｖに沿って谷折りし、第２糊代７の表面に接着剤を塗布する（図１５参照）。次いで、詳細には図示しないが、前述したように、第２糊代７を左側面板３の裏面に貼着するとともに、第１糊代５を右側面板８の裏面に貼着して、長手方向の両端が開口された包装容器１を形成した後、ガムの包み紙１００を下面板２と内方下面板６との間に形成された空間に収容して、正面板９側開口を閉鎖する一方、背面板１４側開口を通して設定個数のガムを供給して背面板１４側開口を閉鎖すればよい。
【００５０】
さらに、図１６乃至図１８には、図１に示した包装容器１のもう一つの変形例が示されている。
【００５１】
この包装容器１も、ガムの包み紙１００を下面板２と内方下面板６との間に形成された空間に差し込んで収容した際に、包み紙１００の一定以上の進入を阻止する構造が先に説明した包装容器１と相違するのみである。このため、同一の構造には同一の符号を付すことでその詳細な説明を省略し、相違する部分についてのみ説明する。
【００５２】
この包装容器１は、図１７の展開図において、内方下面板６の上下方向略中間部に、左右方向略中間部から第１糊代５と内方下面板６との折り目ｄとの間にわたって左右方向に切れ目ｗが形成されるとともに、第１糊代５と内方下面板６との折り目ｄの下半部に切れ目ｗの端縁を始点として切れ目ｘが形成されている。そして、内方下面板６の下半部の左右方向略中間部には、切れ目ｗの端縁を始点として折り目ｙが上下方向に形成されるとともに、該折り目ｙから下面板２と内方下面板６との間隔に略相当する間隔をおいて、折り目ｙと平行に切れ目ｗを始点として折り目ｚが上下方向に形成されている。
【００５３】
ここで、内方下面板６の下半部を順に折り目ｙ，ｚに沿って略Ｚ字状に折曲するとともに、折曲された内方下面板６の略下半部の右部分（切れ目ｗ，ｘおよび折り目ｚで区画された部分）を下面板２に貼着することにより、折り目ｙ，ｚによって区画された部分が、下面板と内方下面板との間に形成される空間の左右方向略中間位置でほぼ垂直に立ち上がることになる。
【００５４】
したがって、ガムの包み紙１００を正面板９側開口を通して下面板２と内方下面板６との空間に差し込んで収容するとき、包み紙１００は、折り目ｙ，ｚに挟まれてほぼ垂直に立ち上がった部分の切れ目ｗに沿う端縁に当接し、それ以上の進入が阻止される結果、包み紙１００の先端は、常に正面板９近傍の取り出しやすい位置に保持される。
【００５５】
なお、この包装容器１を組み立てる場合は、図１７の展開図にしたがってコートボールを打ち抜くとともに、裏面が上面を向くように反転させた後  内方下面板６を第２糊代７とともに第１糊代５に対して折り目ｄに沿って谷折りし、第２糊代７の表面に接着剤を塗布するとともに、内方下面板６の略下半部の切れ目ｗ，ｘおよび折り目ｚで区画された部分に接着剤を塗布する（図１８参照）。次いで、詳細には図示しないが、前述したように、第２糊代７を左側面板３の裏面に貼着する一方、内方下面板６の略下半部の切れ目ｗ，ｘおよび折り目ｚで区画された部分を下面板２の裏面に貼着するとともに、第１糊代５を右側面板８の裏面に貼着して、長手方向の両端が開口された包装容器１を形成した後、ガムの包み紙１００を下面板２と内方下面板６との間に形成された空間に収容して、正面板９側開口を閉鎖する一方、背面板１４側開口を通して設定個数のガムを供給して背面板１４側開口を閉鎖すればよい。
【産業上の利用可能性】
【００５６】
以上説明したように、ガムの包装容器に包み紙を収容することができ、ティッシュペーパーなどを別途取り出す煩わしさを解消することができ、また、ガムが路上に直接廃棄されることを防止することができる。
【図面の簡単な説明】
【００５７】
【図１】本発明のガムの包装容器の一実施形態を示す斜視図である。
【図２】図１の包装容器を一部省略して示す縦断面図およびそのＡ−Ａ線断面図である。
【図３】図１の包装容器の展開図である。
【図４】図１の包装容器の組立工程を示す説明図である。
【図５】図１の包装容器の組立工程を示す説明図である。
【図６】図１の包装容器の組立工程を示す説明図である。
【図７】図１の包装容器の組立工程を示す説明図である。
【図８】図１の包装容器を一部破断して示す斜視図である。
【図９】図１の包装容器を一部破断して示す斜視図である。
【図１０】図１の包装容器の変形例を一部破断して示す斜視図である。
【図１１】図１０の包装容器の展開図である。
【図１２】図１０の包装容器の組立工程を示す説明図である。
【図１３】図１の包装容器の他の変形例を一部破断して示す斜視図である。
【図１４】図１３の包装容器の展開図である。
【図１５】図１３の包装容器の組立工程を示す説明図である。
【図１６】図１の包装容器のもう一つの変形例を一部破断して示す斜視図である。
【図１７】図１６の包装容器の展開図である。
【図１８】図１６０の包装容器の組立工程を示す説明図である。
【図１９】従来のガムの包装容器を示す斜視図である。
【符号の説明】
【００５８】
１  包装容器
２  下面板
３，８  側面板
４  上面板
５  第１糊代
６  内方下面板
７  第２糊代
９  正面板
１０  係止板
１３  被係止片
１４  背面板
１５  係止片
１６  支持片
ａ，ｂ，ｃ，ｄ，ｅ，ｆ，ｇ，ｈ，ｉ，ｊ，ｋ，ｍ，ｎ，ｑ，ｓ，ｙ，ｕ，ｖ，ｚ  折り目
ｐ，ｒ，ｔ，ｗ，ｘ  切れ目
１００  包み紙
【図１】
2006021821.tif 000003
【図２】
2006021821.tif 000004
【図３】
2006021821.tif 000005
【図４】
2006021821.tif 000006
【図５】
2006021821.tif 000007
【図６】
2006021821.tif 000008
【図７】
2006021821.tif 000009
【図８】
2006021821.tif 000010
【図９】
2006021821.tif 000011
【図１０】
2006021821.tif 000012
【図１１】
2006021821.tif 000013
【図１２】
2006021821.tif 000014
【図１３】
2006021821.tif 000015
【図１４】
2006021821.tif 000016
【図１５】
2006021821.tif 000017
【図１６】
2006021821.tif 000018
【図１７】
2006021821.tif 000019
【図１８】
2006021821.tif 000020
【図１９】
2006021821.tif 000021